(57)【要約】【課題】回転弁の弁体の開き角度を遠方からでも容易且つ確実に視認できるような、回転弁の開度検知装置を提供しようとする。【解決手段】回転弁の弁体が回動して所定の開度に達した時、回転弁の開度表示装置の近くで発光体が発光するようにして、遠方からでも回転弁が所定の開度に達したことを知ることができるようにし、また発光体が開度を示す表示を照らすことにより、表示を視認し易くする。【選択図】      図５
2005003027.tif 000002
【特許請求の範囲】
【請求項１】
回転弁の開度表示装置において、回転弁の弁体とともに回動する回転体に突起又は磁石を付設し、回転体に近接して電気回路を付設して電気回路にスイッチと発光体とを接続し、回転体が所定の位置まで回動した時、突起又は磁石がスイッチを作動させて電気回路に電流を流し、これによって発光体が発光して開度表示装置を照らし、弁体の開度を検知し易くしたことを特徴とする、回転弁の開度検知装置。
【請求項２】
回転弁の開度表示装置が目盛付き平板と指針とからなり、指針は平板上の目盛の中心に位置しており、指針と平板のうち一方が回転体とともに回動し他方が静止している平面式の表示装置であって、発光体が平板を照らすようにしたことを特徴とする、請求項１に記載の回転弁の開度検知装置。
【請求項３】
回転弁の開度表示装置が円筒又は半球状の表示部とこれを覆うカバーとからなり、カバーは円周方向の一部だけが透視可能とされて、透視可能部分を通して表示部の一部だけを透視できるようにした立体式の表示装置であて、発光体が表示部の内部に位置して透視可能部分に位置する表示部を照らすようにしたことを特徴とする、請求項１に記載の回転弁の開度検知装置。
【請求項４】
所定の位置が回転弁の全閉及び／又は全開位置であることを特徴とする、請求項１−３の何れか１つの項に記載の回転弁の開度検知装置。
【請求項５】
所定の位置が回転弁の複数位置にあって、各位置ごとに電気回路が付設され、各電気回路に付設された発光体が異なる色に発光するようにしたことを特徴とする、請求項１−４の何れか１つの項に記載の回転弁の開度検知装置。
【発明の詳細な説明】
【０００１】
【発明の属する技術分野】
この発明は回転弁の開度検知装置に関するものである。
【０００２】
【従来の技術】
一般に、バタフライ弁やボール弁のような回転弁は、トルクシール構造のものではなくて、弁体を締めれば締めるほどシールが完全になるものではない。云いかえると、回転弁は、ポジションシール構造のものであって、１つの定められた位置で全閉となり、また別の定められた位置で全開となる。従って、回転弁を取り扱う上では、弁体が全閉又は全開となる位置を正確に知る必要がある。その中でも、とくに全閉位置を正確に知る必要がある。
【０００３】
一般に、回転弁は、約９０度の角度範囲内だけで開閉される。すなわち、回転弁の弁体は、全閉位置から約９０度の角度だけ回動すると全開となり、全閉位置から全開位置までの間を回動することはできるが、全閉位置を越えてさらに締め付けたり、全開位置を越えてさらに回動したりすることは、できないようにされている。
【０００４】
回転弁では、弁体を上述の角度範囲内で回動させるために、通常は駆動装置が付設される。駆動装置には、手動式、電動式、水圧式、空気圧式など色々のものがある。何れにしても、回転弁の駆動装置には弁体が全閉及び全開に達したことを確認するための開度表示装置が付設されている。
【０００５】
開度表示装置には色々なものがある。大きく分けると、平面式のものと立体式とがある。図１は、手動式駆動装置に付設された平面式の開度表示装置を示している。
【０００６】
図１において（ａ）は開度表示装置の平面図であり、（ｂ）は側面図である。図１の開度表示装置は、目盛つき平板Ｃと指針Ｂとからなり、指針Ｂは平板Ｃの中心の周りに回動し、指針Ｂは回転弁の弁体の回動に合わせて回動するものとされているから、指針Ｂの先端が指示する平板Ｃ上の目盛Ｄは弁体の開度を示すこととなる。弁体は前述のように、約９０度の角度範囲内だけ回動されるから、目盛Ｄは円周の４分の１の範囲内だけに付されている。
【０００７】
立体式の開度表示装置は、図２及び図３に示したような構造のものである。図２の開度表示装置は、円筒状の表示部Ｅとこれを覆う円筒状のカバーＦとで構成されており、表示部Ｅが弁体とともに回動しカバーＦは静止したものとされる。表示部Ｅは、その円筒面に円周方向に沿って弁体の開度を示す文字又は記号Ｇが付設されている。カバーＦは表示部に合わせた形状とされ、その円筒の一部が切欠されて開放した窓Ｈとされ、窓Ｈを通して表示部Ｅの文字又は記号Ｇが視認できるようにされている。従って、立体式の開度表示装置は、カバーの窓Ｈから表示部の文字または記号Ｇを読み取り、これによって弁体の開度が判るという機構のものである。
【０００８】
図３に示した立体式の開度表示装置は、表示部Ｊとこれを覆うカバーＫとで構成され、全体が半球状とされている。カバーＫは窓の代わりに透明部分を持ち、透明部分以外は黒色などの不透明皮膜が貼られて透視できない状態とされ、前項で述べたように静止したものとされている。このため、表示部ＪはカバーＫの透明部分と重なる部分だけが外から見える状態となっている。表示部ＪはハンドルＡによって弁体とともに回動するものとされているから、カバーＫの透明部分に現れる表示部Ｊの文字又は記号を見ることによって、回転弁の開度を知ることができる。
【０００９】
図２及び図３に示した立体式の開度表示装置は、カバーの窓Ｈ又は透明部分が立体的に広がっているので、図１に示した平面式の開度表示装置よりも開度を確認し易くなっている。しかし、これらの開度表示装置では、弁体の開度を正確に知ることが容易でない。なぜならば、一般に回転弁は人の接近し難い場所に設置されることが多く、しかも表示部の文字又は記号は一般に小さく、時の経過とともに鮮明さを欠くことになるからである。
【００１０】
そこで、弁体の開度表示装置における文字又は記号を読み取り易くし、離れた場所からでも容易且つ確実に開度表示装置の開度が視認できるようにすることが要望された。
【００１１】
【発明が解決しようとする課題】
この発明は上述の要望に応じて生れたものである。すなわち、この発明は、回転弁の弁体の開き角度を遠方からでも容易且つ確実に、視認できるような装置を提供しようとしてなされたものである。
【００１２】
【課題解決のための手段】
この発明者は、回転弁が所定の開度に達したことを発光体からの照明によって、容易且つ確実に視認できるようにしようと考えた。すなわち、この発明者は、回転弁の弁体が回動して所定の位置に来たとき、回転弁の開度表示装置の近くで発光体が発光するようにして、発光体が表示部の目盛、文字又は記号を照らすことにより、開度を確認できるようにしようと企てた。
【００１３】
そのために、この発明者は、回転弁の弁体とともに回動する回転体を利用し、回転体の適所に突起を付設し、この突起が所定の位置に来たとき発光体が開度表示装置を照らすようにしようと企てた。その際、回転弁には通常、弁体を回動させるために駆動装置が付設されており、この駆動装置には弁体とともに回動する回転体が付設されているので、駆動装置の回転体を利用することとした。但し、回転弁にそのような回転体が付設されていなければ、新たに回転体を付設し、回転体を弁体とともに回動させることとした。
【００１４】
この発明者は、さらに回転体の適所に突起を付設するとともに、回転体に近接して電気回路を付設し、電気回路にスイッチと電球とを接続することとした。こうして回転体が回動するにつれて、突起がスイッチに当接し、電気回路に電流が流れ、電球が点灯し、開度表示装置を照らすようにした。すると、その照明により、遠くからでも弁体が適度に開いたことを容易且つ確実に視認できることを見出した。この発明は、このような知見を端緒としてなされたものである。
【００１５】
この発明者は、さらに突起の代わりに回転体に磁石を付設し、磁石の接近により作動する電磁スイッチを用いて、電気回路に電流を流すのが好都合であることを見出した。また、電球の代わりに他の発光体、例えば電界発光体すなわちエレクトロルミネセンス略してＥＬと云われている発光体を用いるのが一層好都合であることを見出した。さらに弁体の開度表示装置としては、平面式のものでも、立体式のものでもよいが、とくに立体式の表示装置を用いる場合に、弁体の全閉状態の確認に有用であることを見出した。この発明は、このような知見に基づいて完成されたものである。
【００１６】
この発明は、回転弁の開度表示装置において、回転弁の弁体とともに回動する回転体に突起又は磁石を付設し、回転体に近接して電気回路を付設して電気回路にスイッチと発光体とを接続し、回転体が所定の位置まで回動した時、突起又は磁石がスイッチを作動させて電気回路に電流を流し、これによって発光体が発光して開度表示装置を照らし、弁体の開度を検知し易くしたことを特徴とする、回転弁の開度検知装置を提供するものである。
【００１７】
【発明実施の態様】
この発明をその実施の一例について図面に基づき説明すると次のとおりである。図４は、この発明に係る回転弁の開度検知装置の平面図である。図５は、この発明に係る他の開度検知装置の縦断面図である。図６は、図５に示した開度検知装置の要部の分解斜視図である。図７は、図５に示した開度検知装置の内部機構を示す模型図である。図８は、この発明で用いられる電磁スイッチの機構を示す断面図である。図９は、回転弁の全閉時におけるこの発明に係る開度検知装置の平面図である。図１０は、回転弁の全開時におけるこの発明に係る開度検知装置の表示部の平面図である。
【００１８】
図４に示したこの発明に係る回転弁の開度検知装置は、手動式の駆動装置に付設された従来の開度表示装置を基礎とするものである。この開度表示装置は図１に示した平面式のものであって、目盛つき平板Ｃと、図示されていない指針とで構成されている。この開度表示装置は、ハンドルＡによって弁体を回動させる駆動装置の上面に付設されている。
【００１９】
図４に示した開度検知装置は、駆動装置の上に弁体とともに回動する回転体１を付設し、回転体１の所定の位置に突起２すなわちドッグを付設している。また、回転体１に近接して電気回路３を付設し、電気回路３にはスイッチ４と発光体５とを接続している。この装置では、電気回路３、スイッチ４、発光体５等に水が進入しないように、防水対策を施す必要がある。
【００２０】
図４の開度検知装置では、回転体１が弁体とともに回動する間に突起２が回転レバー６に接触する。すると、回転レバー６はスイッチ４を作動させて、電気回路３を閉じ電気回路３に電流を流す。すると、電気回路３に接続された発光体５、例えば電球が点灯し、平板Ｃを照らす。
【００２１】
この点灯により弁体が所定の開度に達したことを検知することができる。しかし、この点灯は弁体が所定の開度に達した瞬間だけでなく、その瞬間の前後の幅を持った時間にわたることが多い。従って、この点灯は所定の開度に達した瞬間を正確に知らせるものではない。従って、その瞬間を知るには平板の目盛を目で確かめる必要がある。この装置では点灯により表示部の目盛が見易くなるので、所定の開度に達したことを正確に知ることができる。こうしてこの発明の装置によれば、弁体が所定の開度に達したことを容易且つ確実に知ることができる。
【００２２】
図５に示されたこの発明に係る開度検知装置は、図４のような平面式開度表示装置を基礎とするものでなく、立体式の開度表示装置を基礎とするものである。図５の開度表示装置は、図３に示した半球状の表示部Ｊとこれを覆う半球状のカバーＫとからなるものである。カバーＫは駆動装置Ｌに固定されているが、表示部ＪはハンドルＡの操作によって弁体とともに回動できるようにされている。
【００２３】
カバーＫは図６に示したように、円周方向に区分された領域３３と３５とだけ透視可能とされ、その余の領域３２は透視不能とされている。従って、透視可能領域３３、３５を通して表示部の文字又は記号を読み取ることができることとなる。表示部Ｊは図６に示したように、円周方向に４個に区分された各領域２３、２４、２５に弁体の開度を示す文字、記号又は色彩が付設されている。従って、表示部ＪがカバーＫに覆われて回動すると、表示部Ｊの回動角度に応じてカバーＫの透視可能部分に現れる文字、記号又は色彩が異なることになる。これによって弁体の開度を知ることができる。
【００２４】
図５に示した駆動装置Ｌの内部には、図７に示したように回転体１１上に磁石１２が付設されている。回転体１１は、駆動装置中に付設されていたウォームホイールと回転体とを一体化して利用するものである。この駆動装置ではハンドルＡの回転によりウォームＰが回転するとウォームホイールが軸Ｑを中心として回動し、これに伴ない回転体１１が回動する。回転軸Ｑは弁体の回動の中心となるべきものであるから、回転体１１は弁体とともに回動することとなる。
【００２５】
回転体１１は図７に示したように、１つの縁面１１１がストッパーボルトＲに衝突しているので、これ以上時計方向に回動することができない。従って回転体１１は反時計方向に回動することとなる。回転体１１が反時計方向に９０度だけ回動すると、縁面１１２がストッパーボルトＲ’に衝突することになるので、これ以上回動することができなくなる。こうして、回転体１１は弁体とともに９０度の角度範囲だけ回動できるものとなっている。
【００２６】
この発明では回転体１１の平面上に磁石１２を固定するとともに、回転体１１に近接して電気回路１３を付設し、電気回路１３に電磁スイッチ１４と発光体１５とを接続する。発光体１５は、実際には駆動装置Ｌの外にあって、開度表示装置の表示部Ｊの内部に設けられる。
【００２７】
電磁スイッチ１４は、磁石１２が遠くにある間は電気回路１３を開いた状態になっているが、磁石１２が接近すると電気回路１３を閉じる働きをする。このような電磁スイッチ１４は、図８に示したように、強磁性体からなる２本のリード線を間隔をおいて平行に置き、これをガラス管で密封し、管内に不活性ガスを充填して作られている。
【００２８】
図８に示した電磁スイッチ１４は、近くに磁石のない時には、（ａ）に示したように２本のリード線ＸとＹとが接点部で離れていて、電気回路を開いた状態にしている。ところが、電磁スイッチに磁石１２が接近すると、（ｂ）に示したようにリード線ＸとＹとは磁化されて接点部が互いに異なった極となる。そのため、リード線ＸとＹとは接点部で互いに接触する。このため電気回路は閉じられる。このような電磁スイッチは市販されている。この発明では市販されている電磁スイッチを使用することができる。
【００２９】
図５に示した立体式の開度検知装置は、回転体１１に磁石１２を固定し、回転体１１に近接して電気回路１３を付設し、電気回路１３に電磁スイッチ１４と発光体１５とを接続して構成されている。そこで、回転体１１が回動すると、その間に磁石１２が電磁スイッチ１４に接近する機会がある。すると、電磁スイッチ１４が電気回路１３を閉じ、電気回路１３に電流が流れる。すると、電気回路１３に接続された発光体１５が発光し、立体式開度表示装置の表示部Ｊを照らす。
【００３０】
この照明によりカバーＫの透視可能部分に位置している表示部Ｊの文字、記号又は色彩が、容易に視認できることとなる。こうして、弁体が所定の開度に達したことを容易且つ確実に知ることができる。
【００３１】
図５に示した開度検知装置は、一部既に説明したが表示部ＪとカバーＫとで構成されている。表示部Ｊは半球殻状に透明な合成樹脂で一体に成形されたものである。その外面の頂上部には円形の窪み２１が形成されている。窪み２１は、のちに述べるカバーＫの内面の頂上部に付設された円形軸を受け入れて、これを中心として表示部ＪがカバーＫ内で回動することを円滑にしている。
【００３２】
表示部Ｊの表面は弁軸方向に延びる境界線２２によって回動方向に複数領域に分けられている。図６では４個の領域２３、２４、２５等に分割されている。４個の領域のうち、互いに隣接する領域は異なる色に着色され、互いに向き合う領域は同じ色に着色されている。例えば、領域２３と２５とは開弁状態を表わす黄色に着色され、領域２４とこれに向き合う領域は、閉弁状態を表わす赤色に着色される。
【００３３】
表示部Ｊは、図６に示した接続具７によって駆動装置の駆動軸Ｑに接続される。表示部Ｊは図５に示したように内面頂部に突起２７を備え、突起２７には接続具７の薄片部５１を丁度収容して固定できるだけのスリットが設けられている。接続具７の二股部分５２は駆動軸Ｑを両側から挟んで固定するためのものである。接続具７は、二股部分５２によって駆動軸Ｑに固定されて、駆動軸Ｑとともに回動し、これによって表示部Ｊは弁体とともに回動されることになる。
【００３４】
カバーＫは透明な合成樹脂を材料として半球殻状に射出成形によって一体に作られている。半球殻の開口縁には図６に示したように、駆動装置への接続のためのフランジ３０が一体に付設されている。また、カバーＫの内面頂上部には図５に示したように円形柱が付設されて、表示部Ｊの窪み２１へ嵌まり込むようになっている。
【００３５】
カバーＫの表面は弁軸方向に延びる境界線３１によって複数個の領域に分けられている。図６では境界線３１によって４個の領域３２、３３・・・３５に分割されている。そのうち駆動装置のハンドルＡの付設方向に向く領域３３は、透視可能領域とされている。それとともに、領域３３と向き合う領域３５も透視可能とされている。
【００３６】
その余の領域、例えば領域３２は透視不能とされる。そのために、領域３２から頂上部を経て領域３２と向き合う領域へわたるところには、合成樹脂製の不透明皮膜が当接されて、皮膜が透明樹脂と融着されて一体となっている。こうして、カバーＫも弁軸方向に延びる境界線を改めて付設することなく、射出成形によって、一挙に透視可能領域と透視不能領域とが形成される。そのほか、透視不能領域は、塗装又はシールの貼付けなどにより形成することができる。
【００３７】
図５に示した立体式の開度検知装置は、図６に示した立体式の開度表示装置を基準とし、前述のように回転体１１に磁石１２を固定するとともに、回転体１１に近接して電気回路１３を付設し、電気回路１３に電磁スイッチ１４と発光体１５とを接続し、発光体１５を開度表示装置の表示部Ｊ内に位置させて構成されている。
【００３８】
電気回路１３のうち、発光体１５に連なる部分以外の回路部分は、回転体１１と平行な平面上に存在することが好ましい。その平面は駆動装置Ｌのケーシング外面であってもよく、また内面であってもよい。そのうち、好ましいのは内面である。また、電磁スイッチ１４の付設場所は、回転体１１が回動するとき、磁石１２が描く通路に近接した位置とする。
【００３９】
磁石１２は、なるべく回転体１１の外周近くに固定することが好ましい。磁石は永久磁石であっても、電磁石であってもよい。磁石の固定には接着剤を固定することが好ましい。回転体１１が鉄系金属で作られているときは、磁石１２はアルミニウム系金属で包囲して固定することが好ましい。
【００４０】
電磁スイッチ１４を駆動装置Ｌのケーシングの外面に設けるときは、ケーシングはプラスチック又はアルミニウム系金属で作ることが好ましい。その理由は、プラスチック又はアルミニウム系金属は、磁石と電磁スイッチとの間に介在しても、磁石からの磁力を弱めないでスイッチに到達させるからである。
【００４１】
回転体１１が鉄系金属で作られているときは、磁石１２は周囲をプラスチック又はアルミニウム系金属で包囲して回転体１１上に固定することが好ましい。また、電磁スイッチ１４をケーシング上に付設するときも、電磁スイッチ１４はこれをプラスチック又はアルミニウム系金属で包囲することが好ましい。
【００４２】
発光体１５は、図５に示したように、駆動装置Ｌの外にあって、立体式の開度表示装置の表示部Ｊの内部に付設することが好ましい。このために、表示部Ｊの内部に取付板Ｓから起立するステーＴを付設して、ステーＴの先端に発光体１５を固定する。従って、電気回路１３は、その一部が駆動装置Ｌから出てステーＴの先端まで延びることとなる。
【００４３】
図５に示した開度検知装置では、初めに回転弁の弁体の開度と開度表示装置とを次のように調整しておく。回転弁が全閉のときには、表示部Ｊの全閉を示す文字又は色彩の付設された領域が、カバーＫの透視可能領域３３と３５とに来るようにしておく。また、このとき表示部の内部では、発光体１５が発光するようにしておく。すると回転弁の全閉時には、図９に示すように、開度表示装置におけるカバーＫの透視可能領域３３、３５に全閉を示す文字又は色彩が現れ、発光体の照明により文字又は色彩が明瞭に見られる。このときは、表示部の全開を示す領域は、カバーＫの透視不能領域に覆われて視認できないようにする。
【００４４】
次に回転弁の弁体が全閉から全開に向かって次第に回動すると、表示部Ｊは全閉を示す領域を少なくするとともに全開を示す領域を多くする。その両領域の現れる割合によって全閉と全開との中間の開度を知ることができる。
【００４５】
最後に回転弁の弁体が全開になると、図１０に示すように、表示部ＪはカバーＫの透視可能領域に全開を示す文字又は色彩のみを示すこととなり、この開度検知装置は全開を知らせることとなる。このとき、全開を確実に知るためには電気回路の別の位置にもう１つの電磁スイッチを付設して同じ発光体に発光させることができる。
【００４６】
また、図４に示した開度検知装置において、回転弁の全開時にも点灯させようとするときは、回転レバー６’、スイッチ４’及び電気回路３’を付設して、全開を確実に視認することができる。また、このとき電気回路３’には別の発光体を付設して、別の発光体は発光体５と異なる色の光を発するようにして、全開時には全閉時と異なる光に発光させて区別することができる。
【００４７】
以上は回転弁の全閉を確認することを基準として説明したが、全閉に限らず、例えば３０度の角度に開いた時も、突起又は磁石の付設位置を変えるだけで同様にして容易且つ確実に視認することができる。
【００４８】
【発明の効果】
この発明によれば、回転弁の開度表示装置において、回転弁の弁体とともに回動する回転体に突起又は磁石を付設し、回転体に近接して電気回路を付設して電気回路にスイッチと発光体を接続し、回転体が所定の位置まで回動した時、突起又は磁石がスイッチを作動させて電気回路に電流を流し、これによって発光体が発光して開度表示装置を照らすこととしたので、発光体の発光を見て回転弁が大体所望の開度に達したことを知るだけでなく、照らし出された開度表示装置を実際に見て、正確に所望の開度に達したことを容易に確認することができる。また、この発明によれば、発光によって遠方からでも回転弁の全閉及び全閉に近づいたことを容易に確認することができる。また、全閉になったことが発光により知れるので、全閉からさらに閉方向へ駆動装置を操作することがなくなり、従って駆動装置を損傷することがなくなる。また、スイッチを複数個用い、スイッチごとに色の異なる発光体を用いることとすることとして、例えば全閉位置では赤色発光、全開位置では黄色発光させることができ、従って、離れた位置から所定の開度に達したことを確実に知ることができる。この発明は、このような利益を与えるものである。
【図面の簡単な説明】
【図１】従来の回転弁の開度表示装置である。
【図２】従来の他の回転弁の開度表示装置である。
【図３】従来のさらに別の回転弁の開度表示装置である。
【図４】この発明に係る回転弁の開度検知装置の平面図である。
【図５】この発明に係る他の回転弁の開度検知装置の縦断面図である。
【図６】図５に示した開度検知装置の要部の分解斜視図である。
【図７】図５に示した開度検知装置の内部機構を示す説明図である。
【図８】この発明で用いることのできる電磁スイッチの断面模型図である。
【図９】図５に示したこの発明に係る開度検知装置の全閉時の平面図である。
【図１０】図５に示したこの発明に係る開度検知装置の全開時の平面図である。
【符号の説明】
Ａ                                    ハンドル
Ｂ                                    指針
Ｃ                                    平板
Ｄ                                    目盛
Ｅ、Ｊ                                表示部
Ｆ、Ｋ                                カバー
Ｇ                                    記号
Ｈ                                    窓
Ｌ                                    駆動装置
Ｐ                                    ウォーム
Ｑ                                    軸
Ｒ、Ｒ’                              ストッパーボルト
Ｓ                                    取付板
Ｔ                                    ステー
Ｘ、Ｙ                                リード線
１、１１                              回転体
２、２７                              突起
３、３’、１３                        電気回路
４、４’                              スイッチ
５、１５                              発光体
６、６’                              回転レバー
７                                    接続具
１２                                  磁石
１４                                  電磁スイッチ
２１                                  窪み
２２、３１                            境界線
２３、２４、２５、３２、３３、３５    領域
３０                                  フランジ
５１                                  薄片部
５２                                  二股部分
１１１、１１２                        縁面
【図１】
2005003027.tif 000003
【図２】
2005003027.tif 000004
【図３】
2005003027.tif 000005
【図４】
2005003027.tif 000006
【図５】
2005003027.tif 000007
【図６】
2005003027.tif 000008
【図７】
2005003027.tif 000009
【図８】
2005003027.tif 000010
【図９】
2005003027.tif 000011
【図１０】
2005003027.tif 000012